(57)【特許請求の範囲】
【請求項１】
スライドファスナーのスライダーアセンブリー（１）であって、当該スライダーアセンブリー（１）は、
スライダー胴体（１０）、引手（２０）、及び弾性のあるロック部材（３０）を備え、
前記スライダー胴体（１０）は、柱（１３）により連結される上翼部（１１）と下翼部（１２）と、前記上翼部（１１）と前記下翼部（１２）との間に形成される略Ｙ字状の案内路（１４）と、を有し、
前記上翼部（１１）の上面（１１ａ）は、前記スライダー胴体（１０）の縦方向に延びる凹部（１５）を有し、
前記凹部（１５）は、２つの対向する側壁（１５ａ）と、前記２つの対向する側壁（１５ａ）間に配置される底壁（１５ｂ）と、を有し、
前記上翼部（１１）には、前記凹部（１５）を前記案内路（１４）に連通する穴部（１８）が設けられ、
前記引手（２０）は、把持されるようになっている終端部（２０ａ）と、前記２つの対向する側壁（１５ａ）間において前記上翼部（１１）の前記凹部（１５）に旋回可能に取り付けられる基端部（２０ｂ）と、を有し、
前記スライダー胴体（１０）の横方向に延び、前記２つの対向する側壁（１５ａ）の穴（２２）と前記引手（２０）の前記基端部（２０ｂ）の穴（２３）を貫通するピボットピン（２１）を備え、
前記引手（２０）には、前記引手（２０）が前記スライダー胴体（１０）に対して所定の第１角度端部位置にある時に前記上翼部（１１）の前記穴部（１８）と同一線上にある窓部（２４）が設けられ、
前記ロック部材（３０）は、前記スライダー胴体（１０）に保持される基端部（３０ａ）と、前記凹部（１５）において前記引手（２０）の前記基端部（２０ｂ）の周りに延びる中間部（３０ｂ）と、前記引手（２０）の前記窓部（２４）と前記上翼部（１１）の前記穴部（１８）を貫通して前記案内路（１４）に向かって延びる終端部（３０ｃ）と、有し、
前記凹部（１５）の前記底壁（１５ｂ）には縦溝部（１６）が設けられ、
前記ロック部材（３０）の前記中間部（３０ｂ）は、その少なくとも一部が前記縦溝部（１６）内に延びており、
前記ロック部材（３０）の前記中間部（３０ｂ）の横幅は、前記縦溝部（１６）の横幅と略同じであり、
前記引手（２０）の前記基端部（２０ｂ）の横幅は、前記凹部（１５）の横幅と略同じであり、
前記ロック部材（３０）は、その終端部（３０ｃ，３０ｅ）が前記案内路（１４）内に所定の範囲まで突出するロック位置に向かって弾性的に付勢される構成であり、
前記引手（２０）の前記基端部（２０ｂ）は、前記ロック部材（３０）と協働するカム手段（３１）を有し、これにより、前記引手（２０）が前記第１角度端部位置にある時、前記ロック部材（３０）は前記ロック位置に就き、前記引手（２０）が前記第１角度端部位置から離れる方向に旋回した時、前記ロック部材（３０）は非ロック位置に向かって移動することを特徴とするスライダーアセンブリー（１）。
【請求項２】
前記縦溝部（１６）の前記スライダー胴体（１０）の縦方向に対して左右に位置する少なくとも一方側において、前記凹部（１５）の前記底壁（１５ｂ）は、前記スライダー胴体（１０）の前部（１０ａ）に向かって上方に傾斜する傾斜面（１５ｃ）を形成し、
前記引手（２０）は、第２角度端部位置において、前記第１角度端部位置に対して１８０°未満の傾斜で前記傾斜面（１５ｃ）に当接することを特徴とする請求項１に記載のスライダーアセンブリー（１）。
【請求項３】
前記カム手段（３１）は、前記引手（２０）が前記第２角度端部位置にある時にも、前記ロック部材（３０）が前記ロック位置に就くように構成されることを特徴とする請求項２に記載のスライダーアセンブリー（１）。
【請求項４】
前記スライダー胴体（１０）の前部（１０ａ）において、前記縦溝部（１６）の底壁に吹き抜け（１７）が設けられ、
前記吹き抜け（１７）に前記ロック部材（３０）の基端部（３０ａ）が係合して、前記スライダー胴体（１０）に保持されることを特徴とする請求項１〜３のいずれか１項に記載のスライダーアセンブリー（１）。
【請求項５】
請求項１〜４の１項以上に記載のスライダーアセンブリー（１）を備えることを特徴とするスライドファスナー。
【発明の詳細な説明】
【技術分野】
【０００１】
本発明は、ロック機能を有する形式のスライドファスナー用スライダーアセンブリーに関する。
【背景技術】
【０００２】
スライダーは一般にスライダー胴体及び引手を含む。スライダー胴体は、２つの協働するテープの対面する側に設けられた結合エレメントと相互作用してジッパー又はスライドファスナーを開閉する。引手を引いてスライダー胴体を移動させた時に、スライダー胴体の上翼部と底翼部との間に位置する概ねＹ字状の案内路がテープの対向する結合エレメント列を噛み合わせる。スライダー胴体を反対方向に移動させると、Ｙ字状の案内路は対向する結合エレメント列を分離する。
【０００３】
スライドファスナーが不用意に開閉するのを防ぐために、一部のスライダーはロック機能を備えている。引手が少なくとも１つの特定の向きになっている時に、ロック部材が少なくとも一方のテープの結合エレメントと係合してスライダーが移動するのを防止する。引手が上記１つの特定の向きにない（例えばテープに対し略垂直であるように上がっている）時、ロック部材はテープの結合エレメントと係合せず、スライダーは移動可能となる。
【０００４】
この形式のロック機能を有するスライダーは、時に「半自動」スライダーと呼ばれる。
【０００５】
そのようなスライダーの実施形態は、例えば、下記特許文献１及び特許文献２に開示されている。
【０００６】
特許文献１に記載のスライダーでは、ロック部材は引手の基端部と一体に形成された指状部である。スライドファスナーのテープと略平行な位置方向に引手を付勢するために、ねじりコイルばねが設けられており、上記指状部はスライダーが移動するのを防ぐ。
【０００７】
特許文献２に記載のスライダーでは、ステンレス鋼といった好ましくは金属製の極めて複雑な形状を有する弾性ロック部材が使用されている。上記弾性ロック部材は使用中に完全に露出し、恐らくそれとスライダー胴体との間に不要なゴミが挟まり、その操作を邪魔する可能性がある。
【先行技術文献】
【特許文献】
【０００８】
【特許文献１】英国特許第７６９４６８Ａ号明細書
【特許文献２】米国特許出願公開第２０１２／０２６０４６９Ａ１号明細書
【発明の概要】
【発明が解決しようとする課題】
【０００９】
本発明の１つの目的は、ロック機能を有する改良したスライドファスナー用スライダーアセンブリーを提供することである。
【課題を解決するための手段】
【００１０】
上記目的とその他の目的は、本発明のスライダーアセンブリーによって達成される。
【００１１】
スライドファスナーのスライダーアセンブリーであって、当該スライダーアセンブリーは、
スライダー胴体、引手、及び弾性のあるロック部材を備え、
前記スライダー胴体は、柱により連結される上翼部と下翼部と、前記上翼部と前記下翼部との間に形成される略Ｙ字状の案内路と、を有し、
前記上翼部の上面は、前記スライダー胴体の縦方向に延びる凹部を有し、
前記凹部は、２つの対向する側壁と、前記２つの対向する側壁間に配置される底壁と、を有し、
前記上翼部には、前記凹部を前記案内路に連通する穴部が設けられ、
前記引手は、把持されるようになっている終端部と、前記２つの対向する側壁間において前記上翼部の前記凹部に旋回可能に取り付けられる基端部と、を有し、
前記スライダー胴体の横方向に延び、前記２つの対向する側壁の穴と前記引手の前記基端部の穴を貫通するピボットピンを備え、
前記引手には、前記引手が前記スライダー胴体に対して所定の第１角度端部位置にある時に前記上翼部の前記穴部と同一線上にある窓部が設けられ、
前記ロック部材は、前記スライダー胴体に保持される基端部と、前記凹部において前記引手の前記基端部の周りに延びる中間部と、前記引手の前記窓部と前記上翼部の前記穴部を貫通して前記案内路に向かって延びる終端部と、を有し、
前記ロック部材は、その終端部が前記案内路内に所定の範囲まで突出するロック位置に向かって弾性的に付勢される構成であり、
前記引手の前記基端部は、前記ロック部材と協働するカム手段を有し、これにより、前記引手が前記第１角度端部位置にある時、前記ロック部材は前記ロック位置に就き、前記引手が前記第１角度端部位置から離れる方向に旋回した時、前記ロック部材は非ロック位置に向かって移動する。
【００１２】
本発明の態様によれば、前記凹部の前記底壁には縦溝部が設けられ、前記ロック部材の前記中間部は、その少なくとも一部が前記縦溝部内に延びている。
【００１３】
本発明の更なる態様によれば、前記縦溝部の前記スライダー胴体の縦方向に対して左右に位置する少なくとも一方側において、前記凹部の前記底壁は、前記スライダー胴体の前部に向かって上方に傾斜する傾斜面を形成し、前記引手は、第２角度端部位置において、前記第１角度端部位置に対して１８０°未満の傾斜で前記傾斜面に当接する。
【００１４】
本発明の別の態様によれば、前記カム手段は、前記引手が前記第２角度端部位置にある時にも、前記ロック部材が前記ロック位置に就くように構成される。
【００１５】
本発明の更なる態様によれば、前記スライダー胴体の前部において、前記縦溝部の底壁に吹き抜けが設けられ、前記吹き抜けに前記ロック部材の基端部が係合して、前記スライダー胴体に保持される。
【００１６】
本発明の更に別の態様によれば、前記ロック部材の前記中間部の横幅は、前記縦溝部の横幅と略同じであり、前記引手の前記基端部の横幅は、前記凹部の横幅と略同じである。
【００１７】
上述の態様により、本発明によるスライダーアセンブリーは多くの利点を有する。
【００１８】
スライダー胴体及び引手は、アルミニウム又は亜鉛合金のような金属材料で作ることができ、それらは例えばめっきによって適用される別の材料のコーティングで仕上げることができる。そのような仕上げ処理は、それらの形状の完成後スライダー胴体に、そして恐らくスライダーの他の部分にも適用可能であり、それ以上のいかなる処理も受ける必要はない。
【００１９】
本発明によるスライダーアセンブリーでは、ロック部材及び場合により引手も、その操作の妨げになり得る不要なゴミの侵入から保護される。
【００２０】
本発明の更なる特徴及び利益は、添付図面に関して、単に非限定的実施例としてのみ提示する以下の説明から明らかになる。
【図面の簡単な説明】
【００２１】
【図１】本発明に従ったスライドファスナー用スライダーアセンブリーの後方斜視図である。
【図２】図１のスライダーアセンブリーの斜視分解図である。
【図３】スライダーアセンブリーの平面図である。
【図４】スライダーアセンブリーの側面図である。
【図５】図１の線Ｖ−Ｖに沿って得られる部分断面図である。
【図６】引手を種々の角度位置で示すスライダーアセンブリーの側面図である。
【発明を実施するための形態】
【００２２】
図面に図示した実施形態において、本発明に従ったスライダーアセンブリー１は、前部１０ａ及び後部１０ｂを有するスライダー胴体１０を備える。
【００２３】
スライダー胴体１０は、互いに略平行に配置されるとともに、前部１０ａにおいて垂直に延びる案内柱１３により連結される上翼部１１及び下翼部１２を有する（特に図４〜図６参照）。
【００２４】
上翼部１１、下翼部１２、及び案内柱１３は、それらの間に略Ｙ字状の案内路１４を形成するように構成されている。案内路１４は公知の方法で形成される。
【００２５】
特に図１、図２及び図５に示すように、上翼部１１の上面１１ａには、スライダー胴体１０の縦方向に、即ちスライダー胴体の後部１０ｂから前部１０ａ方向に延びる凹部１５が形成されている。
【００２６】
凹部１５は、２つの対向する側壁１５ａと、２つの対向する側壁１５ａ間に配置される底壁１５ｂと、を有する（特に図２及び図５参照）。
【００２７】
凹部１５の底壁１５ｂには縦溝部１６が設けられている。
【００２８】
縦溝部１６のスライダー胴体１０の縦方向に対して左右に位置する少なくとも一方側において、凹部１５の底壁１５ｂは、スライダー胴体１０の前部１０ａに向かって上方に傾斜する傾斜面１５ｃを形成する（特に図２参照）。
【００２９】
図５に示すように、スライダー胴体１０の前部１０ａにおいて、縦溝部１６の底壁から下翼部１２の下面まで吹き抜け１７が延びている。
【００３０】
図２及び図５に示されるように、スライダー胴体１０の上翼部１１に穴部１８が設けられており、この穴部１８は、凹部１５を下にある案内路１４に連通している。
【００３１】
例示した実施形態において、吹き抜け１７は、下方に向けて先細りになっている断面略谷状に形成される上部１７ａ（図５参照）と、略一定の横断面を有する下部１７ｂと、を有する。
【００３２】
図５に示すように、吹き抜け１７の下部１７ｂは、対面する前壁１７ｃと後壁１７ｄとの間に形成される。吹き抜け１７の後壁１７ｄから前壁１７ｃに向けて一対の平行な鼻状の突起１９が延びている。一対の突起１９は、互いに横方向に整列しているが互いに分離されている。図５において、一対の突起１９のうちの一方だけが見られる。
【００３３】
スライダーアセンブリー１は、引手２０を更に備えている。引手２０は、手指により把持されるようになっている終端部２０ａと、上翼部１１の凹部１５の２つの対向する側壁１５ａ間において凹部１５に旋回可能に取り付けられる基端部２０ｂと、を有する。
【００３４】
引手２０は、ピボットピン２１を中心に旋回可能に取り付けられている。ピボットピン２１は、スライダー胴体１０の横方向に延び、２つの対向する側壁１５ａの貫通穴２２と引手２０の基端部２０ｂの貫通穴２３を貫通する（特に図２を参照）。
【００３５】
引手２０は、その基端部２０ｂに窓部２４を更に備えている。窓部２４は、図１及び図５に示すように、引手２０がスライダー胴体１０に対して所定の第１角度端部位置（即ち図１及び図３〜図５に示す位置）にある時に上翼部１１の穴部１８と同一線上にある。
【００３６】
スライダーアセンブリー１は、弾性のあるロック部材３０を更に備える。ロック部材３０は、例えば、ステンレス鋼といった金属又は任意の他の適格な材料で作られ、屈曲又は曲げた後に元の形状又は構成に戻るように構成されている。
【００３７】
図示した実施形態において、ロック部材３０は帯状に成形されている。ロック部材３０は、図５に示すように、スライダー胴体１０に保持される基端部３０ａと、縦溝部１６と凹部１５に延びるとともに引手２０の基端部２０ｂの周りを通る中間部３０ｂと、引手２０の窓部２４とスライダー胴体１０の上翼部１１の穴部１８を貫通して案内路１４に向かって延びる終端部３０ｃと、を有する。終端部３０ｃはその先端位置に終端部３０ｃよりも幅が狭い停止爪３０ｅを有する。
【００３８】
図示した実施形態において、ロック部材３０の中間部３０ｂは階段状に形成されており、基端部３０ａ及び終端部３０ｃは下方に曲げられている。
【００３９】
図示した実施形態において、図５に示すように、ロック部材３０の基端部３０ａは、その両側部に吹き抜け１７の下部１７ｂの一対の突起１９に係合するための切欠き３０ｄ（図２参照）が設けられている。ロック部材３０とスライダー胴体１０は、ロック部材３０の終端部３０ｃと停止爪３０ｅが案内路１４内に所定の範囲まで突出するロック位置に向かって弾性的に付勢されるように構成されている。そして、ロック位置において、停止爪３０ｅをスライドファスナーの結合エレメント（図示せず）の間に十分に係合させて、スライダーアセンブリー１の移動を規制する。
【００４０】
図５に示すように、引手２０の基端部２０ｂは、ロック部材３０と協働するカム部材（カム手段）３１を有する。これにより、図１及び図３〜図５に示すように、引手２０が第１角度端部位置にある時、ロック部材３０はロック位置に就き、引手２０が第１角度端部位置から離れる方向に旋回した時、ロック部材３０は非ロック位置方向に移動する。
【００４１】
凹部１５の傾斜面１５ｃは、縦溝部１６のスライダー胴体１０の縦方向に対する両側に設けられている。引手２０は、図６の右端部に点線で図示する第２角度端部位置に達した時に凹部１５の傾斜面１５ｃに当接して停止する。第２角度端部位置は、図６の左端部に点線で図示する第１角度端部位置に対して１８０°未満の傾斜である。
【００４２】
カム部材３１は、引手２０が第２角度端部位置にある時にも、ロック部材３０がロック位置に就くような形状に形成されている。
【００４３】
好ましくは、ロック部材３０の中間部３０ｂの横幅は、縦溝部１６の横幅と略同じであり、引手２０の基端部２０ｂの横幅は、凹部１５の横幅と略同じである。
【００４４】
このように構成されたスライダーアセンブリー１によれば、ロック部材３０、引手２０、及びスライダー胴体１０の間に不要なゴミが挟まる可能性を劇的に低減することができる。
【００４５】
縦溝部１６及び凹部１５の相対的に「高い」側壁によって引手２０及びロック部材３０に相当の保護がもたらされる。
【００４６】
本発明は上述した実施形態に限定されず、添付した請求項において規定される範囲を逸脱することなく適切に変更できる。
【符号の説明】
【００４７】
１    スライダーアセンブリー
１０    スライダー胴体
１０ａ  前部
１０ｂ  後部
１１    上翼部
１１ａ  上面
１２    下翼部
１３    案内柱
１４    案内路
１５    凹部
１５ａ  側壁
１５ｂ  底壁
１５ｃ  傾斜面
１６    縦溝部
１７    吹き抜け
１７ａ  上部
１７ｂ  下部
１７ｃ  前壁
１７ｄ  後壁
１８    穴部
１９    突起
２０    引手
２０ａ  終端部
２０ｂ  基端部
２１    ピボットピン
２２    貫通穴
２３    貫通穴
２４    窓部
３０    ロック部材
３０ａ  基端部
３０ｂ  中間部
３０ｃ  終端部
３０ｄ  切欠き
３０ｅ  停止爪
３１    カム部材（カム手段）
【図１】
0006329661.tif 000002
【図２】
0006329661.tif 000003
【図３】
0006329661.tif 000004
【図４】
0006329661.tif 000005
【図５】
0006329661.tif 000006
【図６】
0006329661.tif 000007